(57)【要約】【課題】  筺体の姿勢をより正確に維持することができる筺体の壁掛け装置を提供すること。【解決手段】  壁体４０に設けたフック体３０に筺体１０を掛け止める筺体の壁掛け装置において、フック体は、壁体に支持する支持部３１と、延出部３２と、返し部３３とを有し、延出部及び返し部が支持部を中心に前後方向に可動するものであり、筺体の上部には、フック体に係止する係止体２０を設け、係止体２０は、返し部に引っ掛ける引っ掛け部２２と、延出部に当接する当接部２３とを有し、筺体に対しては、水平且つ壁体と平行な軸を中心に回転可能とし、当該装置は、当接部が筺体の自重にて延出部を壁体に押さえ付けることにより、筺体が壁体から離れるのを防止するようにした。又は、フック体５０は、その基端部５１を壁体に埋没した釘状部材とし、係止体は、フック体５０に引っ掛ける引っ掛け部と、壁体に当接する当接部とを有する構成とした。【選択図】図５
2006098353.tif 000002
【特許請求の範囲】
【請求項１】
壁体に設けたフック体に筺体を掛け止める筺体の壁掛け装置において、
前記フック体は、前記壁体に支持する支持部と、前記支持部から下方に延出した延出部と、前記延出部の先端に設けられた返し部とを有し、前記延出部及び前記返し部が前記支持部を中心に前後方向に可動するものであり、
前記筺体の上部には、前記フック体に係止する係止体を設け、
前記係止体は、前記返し部に引っ掛ける引っ掛け部と、前記延出部に当接する当接部とを有し、前記筺体に対しては、水平且つ前記壁体と平行な軸を中心に回転可能とし、
当該装置は、前記当接部が前記筺体の自重にて前記延出部を前記壁体に押さえ付けることにより、前記筺体が前記壁体から離れるのを防止するようにしたことを特徴とする筺体の壁掛け装置。
【請求項２】
壁体に設けたフック体に筺体を掛け止める筺体の壁掛け装置において、
前記フック体は、その基端部を前記壁体に埋没した釘状部材であり、
前記筺体の上部には、前記フック体に係止する係止体を設け、
前記係止体は、前記フック体に引っ掛ける引っ掛け部と、前記壁体に当接する当接部とを有し、前記筺体に対しては、水平且つ前記壁体と平行な軸を中心に回転可能とし、
当該装置は、前記当接部が前記筺体の自重にて前記壁体に押さえ付けられることにより、前記筺体が前記壁体から離れるのを防止するようにしたことを特徴とする筺体の壁掛け装置。
【請求項３】
請求項１又は２記載の筺体の壁掛け装置を備えたことを特徴とする壁掛け時計。
【発明の詳細な説明】
【技術分野】
【０００１】
本発明は、壁体に設けたフック体に筺体を掛け止める筺体の壁掛け装置に関する。
【背景技術】
【０００２】
壁掛け時計は、壁体に設けたフック体に時計の筺体を掛け止める構成となっている。この種の壁掛け時計は、特許文献１及び２にも開示されている。
【特許文献１】実公平１−４２０７６号公報
【特許文献２】実開平３−８８１８７号公報
【発明の開示】
【発明が解決しようとする課題】
【０００３】
さて、壁掛け時計を壁体に設置する場合は、壁体と時計の筺体との間に隙間が生じないように注意すべきである。ところが、フック体に筺体を掛け止めると、筺体がその自重によって前のめりに傾いてしまい、筺体の当接個所が壁体から微妙に離れてしまう場合がある。本発明は、かかる事情に鑑みてなされたものであり、その目的は、筺体の姿勢をより正確に維持することができる筺体の壁掛け装置を提供することである。
【課題を解決するための手段】
【０００４】
本願第１請求項に記載した発明は、壁体に設けたフック体に筺体を掛け止める筺体の壁掛け装置において、前記フック体は、前記壁体に支持する支持部と、前記支持部から下方に延出した延出部と、前記延出部の先端に設けられた返し部とを有し、前記延出部及び前記返し部が前記支持部を中心に前後方向に可動するものであり、前記筺体の上部には、前記フック体に係止する係止体を設け、前記係止体は、前記返し部に引っ掛ける引っ掛け部と、前記延出部に当接する当接部とを有し、前記筺体に対しては、水平且つ前記壁体と平行な軸を中心に回転可能とし、当該装置は、前記当接部が前記筺体の自重にて前記延出部を前記壁体に押さえ付けることにより、前記筺体が前記壁体から離れるのを防止するようにした構成の筺体の壁掛け装置である。
【０００５】
本願第２請求項に記載した発明は、壁体に設けたフック体に筺体を掛け止める筺体の壁掛け装置において、前記フック体は、その基端部を前記壁体に埋没した釘状部材であり、前記筺体の上部には、前記フック体に係止する係止体を設け、前記係止体は、前記フック体に引っ掛ける引っ掛け部と、前記壁体に当接する当接部とを有し、前記筺体に対しては、水平且つ前記壁体と平行な軸を中心に回転可能とし、当該装置は、前記当接部が前記筺体の自重にて前記壁体に押さえ付けられることにより、前記筺体が前記壁体から離れるのを防止するようにした構成の筺体の壁掛け装置である。
【０００６】
本願第３請求項に記載した発明は、請求項１又は２記載の筺体の壁掛け装置を備えた構成の壁掛け時計である。
【発明の効果】
【０００７】
本発明によれば、筺体の姿勢をより正確に維持することができる筺体の壁掛け装置を得ることができる。
【発明を実施するための最良の形態】
【０００８】
以下に、本発明の実施例を図面に基づいて説明する。図１乃至図３に示す壁掛け時計１は、壁体４０に設けたフック体３０に筺体１０を掛け止める筺体の壁掛け装置を備えたものである。筺体１０の上部には、フック体３０に係止する係止体２０を設けている。図４は、本例の係止体２０の説明図である。
【０００９】
係止体２０は、筺体１０に対して、水平且つ壁体４０と平行な軸を中心に回転可能となっている。具体的には、係止体２０はその基端にヒンジ部２１を有し、筐体１０にはヒンジ部２１を保持するヒンジ部保持部１１が設けられている。ヒンジ部２１は、水平且つ壁体４０と平行になるように保持されており、係止体２０は、ヒンジ部２１を中心に回転可能となっている。また、この係止体２０は、筐体１０に対して折畳み可能となっている。すなわち、これを使用しない際は、筐体１０の裏面に重ね合わせるように折畳むこともできる（図２参照）。
【００１０】
筐体１０は、その背面を壁体４０に向けて掛け止めるものものである。壁体４０に掛け止めた際は、その背面に設けられた突部１２及び蓋体１３がそれぞれ壁体４０に当接する構成となっている。
【００１１】
図５に示すように、フック体３０は、壁体４０に支持する支持部３１と、支持部３１から下方に延出した延出部３２と、延出部３２の先端に設けられた返し部３３とを有するものである。本例のフック体３０は、線材を所定の形状に成形してなる金具であり、支持部３１となる一方の端部を壁体４０の要所に設けられた孔部４１に差し込むことにより、壁体４０に設置される。また、このフック体３０は、壁体４０に対して完全固定されるものではなく、延出部３２及び返し部３３が支持部３１を中心に前後方向にある程度可動する構成となっている。
【００１２】
更に、係止体２０は、返し部３３に引っ掛ける引っ掛け部２２と、延出部３２に当接する当接部２３とを有する。尚、図中の２４は、当接部２３に対応する肉抜き部である。引っ掛け部２２は、返し部３３を下側へ突き当てる部位である。当接部２３は、壁体４０側に向って突き出た面であり、当接部２３と延出部３２との当接面は、垂直方向に平行となる。また、当接部２３と延出部３２との当接面は、引っ掛け部２２と返し部３３との当接位置よりも下に位置するのが望ましい。
【００１３】
すなわち、本例の筺体の壁掛け装置は、当接部２３が筺体１０の自重にて延出部３２を壁体４０に押さえ付けることにより、筺体１０が壁体４０から離れるのを防止する構成となっている。仮に、当接部２３が無い場合は、図７に示すように、フック体３０の延出部３２及び返し部３３が壁体４０から浮き上がり、それに伴って筺体１０がその自重によって前のめりに傾いてしまう。筺体１０の突部１２は、壁体４０から微妙に離れてしまう。しかし本例によれば、そのような不都合を防止することができ、筺体１０の姿勢はより正確に維持されることとなる。尚、本例における各部の構成は、特許請求の範囲に記載した技術的範囲において適宜に設計変更が可能であり、図例説明したものに限定されないことは勿論である。
【００１４】
次に、本発明の他の実施例を図６に基づいて説明する。本例のフック体５０は、その基端部５１を壁体４０に埋没した釘状部材である。釘状部材としては、釘又は木ねじ等を使用している。係止体２０は、フック体５０に引っ掛ける引っ掛け部２２と、壁体４０に当接する当接部２３とを有する。当接部２３は、壁体４０側に向って突き出た面であり、当接部２３と壁体４０との当接面は、垂直方向に平行となる。また、当接部２３と壁体４０との当接面は、引っ掛け部２２とフック体５０との当接位置よりも下に位置するのが望ましい。尚、その他の基本構成は、前述した実施例と同様である。
【００１５】
すなわち、本例の筐体の壁掛け装置は、当接部２３が筺体１０の自重にて壁体４０に押さえ付けられることにより、筺体１０が壁体４０から離れるのを防止する構成となっている。仮に、筐体１０が前のめりに傾いてしまうと、フック体５０には壁体４０からこれを引き抜こうとする方向に負荷がかかるが、本例によれば、そのような負荷を低減することができる。
【産業上の利用可能性】
【００１６】
本発明の筺体の壁掛け装置は、壁掛け時計の筺体を壁体に支持する装置として好適に利用することができる。
【図面の簡単な説明】
【００１７】
【図１】本発明の実施例に係り、壁掛け時計の正面図である。
【図２】本発明の実施例に係り、壁掛け時計の背面図である。
【図３】本発明の実施例に係り、壁掛け時計の透視側面図である。
【図４】本発明の実施例に係り、係止体の説明図であって、（ａ）は係止体の正面図、（ｂ）は（ａ）のＡ矢視図、（ｃ）は（ａ）のＢ矢視図、（ｄ）は（ａ）のＣ−Ｃ矢視断面図、（ｅ）は係止体の背面図、（ｆ）は（ａ）のＤ−Ｄ矢視断面図、（ｇ）は（ｄ）のＥ部詳細図、（ｈ）は（ｅ）のＦ−Ｆ矢視断面図である。
【図５】本発明の実施例に係り、筺体の壁掛け装置の説明図である。
【図６】本発明の実施例に係り、筐体の壁掛け装置の説明図である。
【図７】従来例に係り、筺体の壁掛け装置の説明図である。
【符号の説明】
【００１８】
１    壁掛け時計
１０    筐体
１１    ヒンジ部保持部
１２    突部
１３    蓋体
２０    係止体
２１    ヒンジ部
２２    引っ掛け部
２３    当接部
２４    肉抜き部
３０    フック体
３１    支持部
３２    延出部
３３    返し部
４０    壁体
４１    孔部
５０    フック体
５１    基端部
【図１】
2006098353.tif 000003
【図２】
2006098353.tif 000004
【図３】
2006098353.tif 000005
【図４】
2006098353.tif 000006
【図５】
2006098353.tif 000007
【図６】
2006098353.tif 000008
【図７】
2006098353.tif 000009